(57)【要約】【課題】商品払出機構やシャッタ、商品収納装置の組付け動作や取外し動作、などのメンテナンスを能率的に行うことができる自動販売機の商品収納装置を提供する。【解決手段】シャッタにより上部商品収納領域と下部商品収納領域とに仕切られた自動販売機の商品収納装置において、商品収納ラックの一側面における上部商品収納領域の下端部に相当する位置に開口部を形成し、この開口部を覆う覆い板６２に支持枠体６３を組付けて固定し、前記支持枠体６３に左右１組の商品払出機構２５を互いに背中合わせの姿勢で係合させて、覆い板６２と支持枠体６３と１組の商品払出機構とをユニット化し、このユニット化した商品払出ユニットを、開口部を通して挿入、離脱させることで商品収納ラックに対して着脱自在に構成した。【選択図】図１６
2010146131.tif 000002
【特許請求の範囲】
【請求項１】
上方から下方に延びる搬送通路が前後に複数列設けられた商品収納装置内の空間が、各搬送通路の中間部で開閉するシャッタにより、上部商品収納領域と下部商品収納領域とに、上下に分割された状態で仕切られ、上部商品収納領域の下端部と下部商品収納領域の下端部とに、各商品収納領域の下端の商品を下方に一つずつ払い出す商品払出機構が配設され、前記商品収納装置において左右一対のラック側板間に２列分の商品搬送通路が設けられて商品収納ラックが形成されている自動販売機の商品収納装置であって、
商品収納ラックの一側面における上部商品収納領域の下端部に相当する位置に開口部を形成し、この開口部を覆う覆い板に支持枠体を組付けて固定し、前記支持枠体に左右１組の商品払出機構を互いに背中合わせの姿勢で係合させて、覆い板と支持枠体と１組の商品払出機構とをユニット化し、このユニット化した商品払出ユニットを、開口部を通して挿入、離脱させることで商品収納ラックに対して着脱自在に構成したことを特徴とする自動販売機の商品収納装置。
【請求項２】
支持枠体は、覆い板にその一端部側が固定される上枠および下枠と、上枠および下枠の他端部同士を固定する側部枠とを有し、左右１組の商品払出機構が、前記上枠と下枠とに対して互いに背中合わせの姿勢で係合離脱可能であることを特徴とする請求項１記載の自動販売機の商品収納装置。
【請求項３】
左右一対のラック側板間に、商品払出ユニットの挿入時に支持枠体をスライドさせながら案内する上ガイドと下ガイドとが取り付けられていることを特徴とする請求項１または２に記載の自動販売機の商品収納装置。
【請求項４】
覆い板に、上ガイドの端部が突入するスリット孔が形成され、前記上ガイドの端部に、覆い板を位置規制するフック部が形成されていることを特徴とする請求項３に記載の自動販売機の商品収納装置。
【請求項５】
覆い板に、搬送通路の下端部において、ラック側板と略同一面となるように配設されて、商品を案内する案内面が形成され、この案内面の上部に、ラック側板に案内された商品を前記案内面にガイドする傾斜面が形成されていることを特徴とする請求項１〜４の何れか１項に記載の自動販売機の商品収納装置。
【請求項６】
支持枠体を案内する下ガイドが、商品払出機構のハーネス部に接続された中間配線部を内部に通し、かつ搬送通路に対して覆う断面形状に形成されていることを特徴とする請求項３に記載の自動販売機の商品収納装置。
【請求項７】
上方から下方に延びる搬送通路が前後に複数列設けられた商品収納装置内の空間が、各搬送通路の中間部で開閉するシャッタにより、上部商品収納領域と下部商品収納領域とに、上下に分割された状態で仕切られ、上部商品収納領域の下端部と下部商品収納領域の下端部とに、各商品収納領域の下端の商品を下方に一つずつ払い出す商品払出機構が配設され、前記商品収納装置において左右一対のラック側板間に所定数の列の搬送通路が設けられて商品収納ラックが形成されている自動販売機の商品収納装置であって、
前記商品収納ラックが、搬送通路の下端部にそれぞれ商品払出機構が配設された上部収納ユニットと、この上部収納ユニットの下方に着脱自在に配設され、シャッタおよびシャッタ開閉機構が内蔵された遮断ユニットと、この遮断ユニットの下方に着脱自在に配設され、搬送通路の下端部にそれぞれ商品払出機構が配設された下部収納ユニットとから構成されていることを特徴とする自動販売機の商品収納装置。
【請求項８】
前後方向に複数組並べて設けられた遮断ユニット同士と下部収納ユニット同士とが同じ構造のものに共通化されていることを特徴とする請求項７に記載の自動販売機の商品収納装置。
【請求項９】
上部収納ユニットの下端部および遮断ユニットの上端部に、互いに前後方向にスライド自在に摺接する摺接部が設けられ、固定手段により、上部収納ユニットに対する遮断ユニットの相対位置が決められるよう構成されていることを特徴とする請求項７または８に記載の自動販売機の商品収納装置。
【請求項１０】
遮断ユニットの下端部および下部収納ユニットの上端部に、互いに前後方向にスライド自在に摺接する摺接部が設けられ、固定手段により、遮断ユニットに対する下部収納ユニットの相対位置が決められるよう構成されていることを特徴とする請求項７〜９の何れか１項に記載の自動販売機の商品収納装置。
【請求項１１】
前後方向に複数組並べて設けられた商品収納ラック同士を連結する連結部材により、前後の商品収納ラックが連結されて商品収納装置が構成されていることを特徴とする請求項７〜１０の何れか１項に記載の自動販売機の商品収納装置。
【請求項１２】
商品収納装置が、前面扉が開閉自在に支持されている自動販売機本体から手前側に出退自在に配設されていることを特徴とする請求項７〜１１の何れか１項に記載の自動販売機の商品収納装置。
【請求項１３】
商品収納装置を自動販売機本体から手前側に引き出して吊り下げた状態に保持できるスライドレール装置が備えられていることを特徴とする請求項７〜１２の何れか１項に記載の自動販売機の商品収納装置。
【請求項１４】
下部収納ユニットに、接続用ハーネスが組み込まれてモジュール化されていることを特徴とする請求項７〜１３の何れか１項に記載の自動販売機の商品収納装置。
【請求項１５】
上方から下方に延びる搬送通路が前後に複数列設けられた商品収納装置内の空間が、各搬送通路の中間部で開閉するシャッタにより、上部商品収納領域と下部商品収納領域とに、上下に分割された状態で仕切られ、上部商品収納領域の下端部と下部商品収納領域の下端部とに、各商品収納領域の下端の商品を下方に一つずつ払い出す商品払出機構が配設され、前記商品収納装置において左右一対のラック側板間に所定数の列の搬送通路が設けられて商品収納ラックが形成されている自動販売機の商品収納装置であって、
前記商品収納ラックが、搬送通路の下端部にそれぞれ商品払出機構が配設され、この下方にシャッタが内蔵された上部収納ユニットと、この上部収納ユニットの下方に着脱自在に配設され、搬送通路の下端部にそれぞれ商品払出機構が配設された下部収納ユニットとから構成されていることを特徴とする自動販売機の商品収納装置。
【請求項１６】
上方から下方に延びる搬送通路が前後に複数列設けられた商品収納装置内の空間が、各搬送通路の中間部で開閉するシャッタにより、上部商品収納領域と下部商品収納領域とに、上下に分割された状態で仕切られ、上部商品収納領域の下端部と下部商品収納領域の下端部とに、各商品収納領域の下端の商品を下方に一つずつ払い出す商品払出機構が配設され、前記商品収納装置において左右一対のラック側板間に所定数の列の搬送通路が設けられて商品収納ラックが形成されている自動販売機の商品収納装置であって、
前記商品収納ラックが、搬送通路の下端部にそれぞれ商品払出機構が配設された上部収納ユニットと、この上部収納ユニットの下方に着脱自在に配置され、その上部にシャッタが内蔵され、このシャッタの下方に、搬送通路の下端部にそれぞれ商品払出機構が配設された下部収納ユニットとから構成されていることを特徴とする自動販売機の商品収納装置。
【発明の詳細な説明】
【技術分野】
【０００１】
本発明は自動販売機の商品収納装置、特に、商品収納装置の内部が上部商品収納領域と下部商品収納領域とに仕切られている自動販売機の商品収納装置に関する。
【背景技術】
【０００２】
商品の長期加温による劣化を防止するための構造として、特許文献１や特許文献２等に、上方から下方に延びる搬送通路が前後に複数列設けられた商品収納装置を、上下に２分割するとともに、これらの境界部に開閉自在のシャッタをそれぞれ設けて、上部商品収納領域と下部商品収納領域とに仕切った構造が開示されている。なお、各商品収納領域の下端部に臨む箇所には、この商品収納領域の下端の商品を下方に一つずつ払い出す商品払出機構が配設されている。すなわち、この種の自動販売機では、下部商品収納領域の下端部に商品払出機構が配設されているだけでなく、上部商品収納領域の下端部、つまり、商品収納装置の上下方向略中間位置にも商品払出機構が配設されている。そして、例えば、商品の払出指示があり、下部商品収納領域の商品払出機構が駆動されて商品が払い出されると、上部商品収納領域の商品払出機構が駆動されて、上部商品収納領域の下端の商品が下部商品収納領域側に払い出されて、下部商品収納領域に商品が補充される。
【０００３】
この構造によれば、商品収納装置内が、上部商品収納領域と下部商品収納領域とに２分割されて仕切られているので、商品を加温して販売する場合でも、上部商品収納領域については内部を加温せず、下部商品収納領域のみ加温して温度調整（調温）することで、商品（例えば乳成分を含む商品）が上部商品収納領域に収容されている間については、加温による劣化を防止することができ、ひいては、販売する商品（例えば乳成分を含む商品）の長期加温による劣化を最小限に抑えることができる。また、下部商品収納領域については内部を加温しているので、販売する商品は、下部商品収納領域に収納されている間に良好に加温されて販売される。
【０００４】
このように、商品収納装置の上下方向略中間位置に商品払出機構を取り付ける構造として、図３０に示すように、特許文献３に、２列分の商品搬送通路をなす商品収納ラック１０１の一側面をなす側板１０１ａに開口部１０２を形成し、この開口部１０２から商品払出機構（いわゆるベンドメカニズム）１００を商品収納ラック１０１の内部に挿入して装着する構造が開示されている。
【０００５】
前記装着構造について、詳しく説明すると、まず、２つの商品払出機構１００を背中合わせに配置し、この１組の商品払出機構１００における外枠の上端部と下端部とにそれぞれ支持ピン１０３を水平に通す。そして、この支持ピン１０３を組付けた商品払出機構１００を、商品収納ラック１０１の一側面１０１ａの開口部１０２から内部に挿入して、支持ピン１０３の一端部を、商品収納ラック１０１の他側面１０１ｂに形成した孔部１０４に係合させる。この後、商品収納ラック１０１の開口部１０２を閉鎖する覆い板１０５を、この覆い板１０５に形成した孔部１０６に支持ピン１０３の手前側の端部を嵌り込ませながら、開口部１０２の周壁部に取り付けて開口部１０２を覆う。これにより、商品収納ラック１０１の他側面１０１ｂと、開口部１０２を覆う覆い板１０５との間に商品払出機構１００を組み付ける構成となっている。
【０００６】
ところで、従来から一般に用いられている商品払出機構は、所定間隔をあけて左右に対向させて配置した側板（商品収納ラックの側面）間に、それぞれ横方向に延びる上下２本の支持ピンを固定し、これらの支持ピンに対して、商品払出機構のケース部の上端部と下端部とに設けた嵌合用凹部や係合部を上下にずらすようにして嵌めこみながら着脱する構造となっている。また、商品払出機構には、商品の落下を阻止するストッパを駆動するための駆動源としてソレノイド等が内蔵されるが、商品払出機構の下部における左右方向の一端部から下方に、前記ソレノイド等の駆動源を駆動させるためのハーネス部（配線部）１１０が出ており、外部との電気的な接続を行うようになっていることが一般的である。したがって、抱き合わせて配置した１組の商品払出機構からのハーネス部を、商品払出機構の下辺部分に沿わせて商品払出機構の一側方まで導き、商品収納ラックの側面から出すよう構成されている。
【特許文献１】特開２０００−３０１３８公報
【特許文献２】特開２０００−５７４３１公報
【特許文献３】特開２００１−１４３１４７公報
【特許文献４】特開２０００−１１３３０３公報
【特許文献５】特開平９−１８５７６２公報
【特許文献６】特開平９−２０４５７３公報
【発明の開示】
【発明が解決しようとする課題】
【０００７】
しかしながら、上記従来から用いられている一般の商品払出機構を、特許文献３に示された構造に適用しようとしても、以下の不具合があり、良好に組付けることができない。
前記一般の商品払出機構は、所定位置に固定されている支持ピンに対して前後方向から着脱する構造であるので、支持ピンが位置決めされていない状態（非固定状態）では、商品払出機構を良好に組付けることができない。つまり、特許文献３に示された構造では、商品払出機構１００の組付けを行う際に、商品払出機構１００に軽くはめ合わせた上下の支持ピン１０３を、商品収納ラック１０１の他側面１０１ｂに形成した孔部１０４に挿入して係合させながら、すなわち、これらの商品払出機構１００および支持ピン１０３がそれぞれ位置決めされていない状態で組付けるので、これらの部品を組付ける際に、支持ピン１０３が商品払出機構１００に対して上下や左右に移動して抜けるなどしてしまい、これらを良好に組付けることができない。
【０００８】
また、商品払出機構１００のハーネス部１１０を単に束ねただけではその端部を商品収納ラック１０１の一側面１０１ａから出し難くなり、固定時の取扱が困難となる場合がある。また、商品収納ラック１０１の一側面１０１ａからハーネス部１１０を出易くするために、ハーネス部１１０を長めにして弛ませた状態で装着すると、装着状態において、払い出された商品にハーネス部１１０が当たってしまうなどして、商品詰まりの原因となったり、ハーネス部１１０が損傷して断線したりするおそれもある。
【０００９】
また、特許文献３の構造では、商品払出機構１００を嵌め付けた支持ピン１０３の端部を、覆い板１０５の孔部１０６に嵌め合わせただけの構造であるので、商品払出機構１００が故障したり点検を必要としたりした場合に、覆い板１０５を取り外しただけでは、商品が載っている商品払出機構１００を引き出すことが困難であり、この場合には、商品収納ラック１０１を自動販売機本体のケースから引き抜出してから、商品収納ラック１０１全体を分解しない限り商品払出機構１００を取り外すことができず、非常に多くの手間や時間が掛かってしまう。
【００１０】
また、上記のような２分割の構造に限らず、従来の商品収納装置においては、商品が搬送通路内で姿勢を崩して詰まってしまうことがあるが、この場合には、商品が充填されたままの状態であるので、商品収納装置全体が非常に重たい状態となる。このような非常に重たい商品収納装置を自動販売機本体のケースから引き抜いておろしてから、中身の商品を抜き出すという、非常に大掛かりで重労働な作業をしなくてはならず、作業員に対して大きな身体的負担を強いるものであった。
【００１１】
また、上記のような２分割の構造を有する自動販売機では、商品収納部が上下方向に分割されていない、一般の自動販売機と比較して、上下方向の中間部分に商品払出機構やシャッタおよびこのシャッタを駆動させる駆動装置が組み込まれるので、構造が複雑であり、かつ部品点数も多くなり、この結果、製造工程数も多くなり、性能品質を良好に維持するために多くの検査工程が必要となり、多くの手間や時間が必要となる。
【００１２】
なお、特許文献４〜６には、同様に商品収納装置を上下に２分割した自動販売機が開示されているが、その構造は、断熱室内を単に上下に２分割し、中間部にシャッタが設けられている構造が簡略的に示されているに過ぎない。また、シャッタは、断熱室内に固定状態で仕切るように配設された仕切壁部分に対して開閉する構造である。
【００１３】
本発明は上記課題を解決するもので、商品払出機構やシャッタ、商品収納装置の組付け動作や取外し動作などのメンテナンスを能率的に行うことができる自動販売機の商品収納装置を提供することを目的とするものである。
【課題を解決するための手段】
【００１４】
上記課題を解決するために、本発明は、上方から下方に延びる搬送通路が前後に複数列設けられた商品収納装置が、上下に分割され、これらの境界部を開閉するシャッタにより、前記商品収納装置が上部商品収納領域と下部商品収納領域とに仕切られ、上部商品収納領域の下端部と下部商品収納領域の下端部とに、各商品収納領域の下端の商品を下方に一つずつ払い出す商品払出機構が配設され、前記商品収納装置において左右一対のラック側板間に２列分の商品搬送通路が設けられて商品収納ラックが形成されている自動販売機の商品収納装置であって、商品収納ラックの一側面における上部商品収納領域の下端部に相当する位置に開口部を形成し、この開口部を覆う覆い板に支持枠体を組付けて固定し、前記支持枠体に左右１組の商品払出機構を互いに背中合わせの姿勢で係合させて、覆い板と支持枠体と１組の商品払出機構とをユニット化し、このユニット化した商品払出ユニットを、開口部を通して挿入、離脱させることで商品収納ラックに対して着脱自在に構成したことを特徴とする。
【００１５】
上記構成により、商品収納ラックの一側面に形成された開口部を覆う覆い板に、支持枠体を組付けて固定し、前記支持枠に対して左右１組の商品払出機構を互いに背中合わせの姿勢で係合させるよう構成したので、商品払出機構を支持枠体に良好に組付けてユニット化することができる。これにより、商品払出ユニットを商品収納ラックに対して容易に着脱することができ、良好なメンテナンス性能を得ることができる。また、２つの商品払出機構を１つのユニットに一体化したので、商品払出機構を個別に装着する場合と比較して、装着時の手間が半減する。
【００１６】
また、本発明の支持枠体は、覆い板にその一端部側が固定される上枠および下枠と、上枠および下枠の他端部同士を固定する側部枠とを有し、左右１組の商品払出機構が、前記上枠と下枠とに対して互いに背中合わせの姿勢で係合離脱可能であることを特徴とする。
【００１７】
この構成により、簡単な構成で、商品払出機構を良好かつ確実に組付けることができ、商品払出機構としても、一般的なものを用いることができ、ひいては製造コストの低減化を図ることができる。
【００１８】
また、本発明は、左右一対のラック側板間に、商品払出ユニットの挿入時に支持枠体をスライドさせながら案内する上ガイドと下ガイドとが取り付けられていることを特徴とする。
【００１９】
この構成により、商品払出ユニットの挿入時に、上ガイドと下ガイドとにより商品払出ユニットが上下から挟持されて安定した状態で案内され、良好かつ容易に挿入作業を行うことができる。また、商品払出ユニットを、上ガイドと下ガイドとにより案内させながら、スライドさせるだけで脱着できるので、脱着作業が極めて容易となり、作業能率が良好である。
【００２０】
また、本発明は、覆い板に、上ガイドの端部が突入するスリット孔が形成され、前記上ガイドの端部に、覆い板を位置規制するフック部が形成されていることを特徴とする。
この構成により、上ガイドの端部に形成されたフック部により、商品払出ユニットの覆い板を位置規制することができ、商品払出ユニットを装着する際の固定部品の数を少なめに抑えることができる。
【００２１】
また、本発明は、覆い板に、搬送通路の下端部において、ラック側板と略同一面となるように配設されて、商品を案内する案内面が形成され、この案内面の上部に、ラック側板に案内された商品を前記案内面にガイドする傾斜面が形成されていることを特徴とする。
【００２２】
この構成により、ラック側板の内壁面に沿って搬送されてきた（流れ落ちてきた）商品が、ラック側板の内壁面に臨む箇所から、覆い板の案内面に臨む箇所に移動する際に良好に案内される。つまり、覆い板の上部に形成された傾斜面によって段差を生じなくなり、ラック側板と覆い板の案内面との境界部の段差に商品がぶつかって、異常な姿勢になるなどして商品詰まりを生じることが防止される。また、覆い板の案内面がラック側板と略同一面とされているので、覆い板の案内面の下端部と、これに続くラック側板の部分との段差部分に商品が当接することもなく、これによっても、商品が異常な姿勢になることを防止できる。
【００２３】
また、本発明は、支持枠体を案内する下ガイドが、商品払出機構のハーネス部に接続された中間配線部を内部に通し、かつ搬送通路に対して覆う断面形状に形成されていることを特徴とする。
【００２４】
この構成により、下ガイドによって、商品払出機構のハーネス部に接続された中間配線部が商品に当たるなどして損傷することを防止できるとともに、商品が中間配線部に引っかかって商品詰まりを生じることも防止でき、さらに、中間配線部の取出し作業も容易化できる。また、支持枠体を案内する下ガイドを中間配線部の保護材料としても兼用しているので、ガイド部材と保護材料とを個別に設けた場合と比較して部品点数を削減することができる。
【００２５】
また、本発明は、上方から下方に延びる搬送通路が前後に複数列設けられた商品収納装置内の空間が、各搬送通路の中間部で開閉するシャッタにより、上部商品収納領域と下部商品収納領域とに、上下に分割された状態で仕切られ、上部商品収納領域の下端部と下部商品収納領域の下端部とに、各商品収納領域の下端の商品を下方に一つずつ払い出す商品払出機構が配設され、前記商品収納装置において左右一対のラック側板間に２列分の搬送通路が設けられて商品収納ラックが形成されている自動販売機の商品収納装置であって、前記商品収納ラックが、搬送通路の下端部にそれぞれ商品払出機構が配設された上部収納ユニットと、この上部収納ユニットの下方に着脱自在に配設され、シャッタが内蔵された遮断ユニットと、この遮断ユニットの下方に着脱自在に配設され、搬送通路の下端部にそれぞれ商品払出機構が配設された下部収納ユニットとから構成されていることを特徴とする。
【００２６】
この構成により、上部収納ユニットと、遮断ユニットと、下部収納ユニットとが互いに着脱自在であるので、メンテナンス時などに、対象となるユニットを取り外して作業することが可能となり、商品収納ラック全体を移動分解する場合と比較して、作業の軽減化を図ることができる。
【００２７】
また、本発明は、前後方向に複数組並べて設けられた遮断ユニット同士と下部収納ユニット同士とが同じ構造のものに共通化されていることを特徴とする。
この構成により、遮断ユニットや下部収納ユニットがそれぞれ共通化されているので、部品の共通化をより多く図ることができて、製造コストの低減化を図ることができる。
【００２８】
また、本発明は、上部収納ユニットの下端部および遮断ユニットの上端部に、互いに前後方向にスライド自在に摺接する摺接部が設けられ、固定手段により、上部収納ユニットに対する遮断ユニットの相対位置が決められるよう構成されていることを特徴とする。
【００２９】
この構成により、上部収納ユニットに対して遮断ユニットを手前にスライドさせて手前に引き出すことができる。また、通常時には固定手段により遮断ユニットが正規位置より手前に突出することが規制されるので、安全性が向上する。
【００３０】
また、本発明は、遮断ユニットの下端部および下部収納ユニットの上端部に、互いに前後方向にスライド自在に摺接する摺接部が設けられ、固定手段により、遮断ユニットに対する下部収納ユニットの相対位置が決められるよう構成されていることを特徴とする。
【００３１】
この構成により、遮断ユニットに対して下部収納ユニットを手前にスライドさせて手前に引き出すことができる。また、通常時には固定手段により下部収納ユニットが正規位置より手前に突出することが規制されるので、安全性が向上する。
【００３２】
また、本発明は、前後方向に複数組並べて設けられた商品収納ラック同士を連結する連結部材により、前後の商品収納ラックが連結されて商品収納装置が構成されていることを特徴とする。
【００３３】
また、本発明は、商品収納装置が、前面扉が開閉自在に支持されている自動販売機本体から手前側に出退自在に配設されていることを特徴とする。
また、本発明は、商品収納装置を自動販売機本体から手前側に引き出して吊り下げた状態に保持できるスライドレール装置が備えられていることを特徴とする。
【００３４】
この構成により、商品収納装置を自動販売機本体から手前側に引き出して吊り下げた状態に保持できるので、引き出した状態のままでメンテナンス作業などを行うことも可能となり、作業能率が向上する。
【００３５】
また、本発明は、下部収納ユニットに、接続用ハーネスが組み込まれてモジュール化されていることを特徴とする。
また、本発明は、上方から下方に延びる搬送通路が前後に複数列設けられた商品収納装置内の空間が、各搬送通路の中間部で開閉するシャッタにより、上部商品収納領域と下部商品収納領域とに、上下に分割された状態で仕切られ、上部商品収納領域の下端部と下部商品収納領域の下端部とに、各商品収納領域の下端の商品を下方に一つずつ払い出す商品払出機構が配設され、前記商品収納装置において左右一対のラック側板間に２列分の商品搬送通路が設けられて商品収納ラックが形成されている自動販売機の商品収納装置であって、前記商品収納ラックが、搬送通路の下端部にそれぞれ商品払出機構が配設され、この下方にシャッタが内蔵された上部収納ユニットと、この上部収納ユニットの下方に着脱自在に配設され、搬送通路の下端部にそれぞれ商品払出機構が配設された下部収納ユニットとから構成されていることを特徴とする。
【００３６】
また、本発明は、上方から下方に延びる搬送通路が前後に複数列設けられた商品収納装置内の空間が、各搬送通路の中間部で開閉するシャッタにより、上部商品収納領域と下部商品収納領域とに、上下に分割された状態で仕切られ、上部商品収納領域の下端部と下部商品収納領域の下端部とに、各商品収納領域の下端の商品を下方に一つずつ払い出す商品払出機構が配設され、前記商品収納装置において左右一対のラック側板間に２列分の商品搬送通路が設けられて商品収納ラックが形成されている自動販売機の商品収納装置であって、前記商品収納ラックが、搬送通路の下端部にそれぞれ商品払出機構が配設された上部収納ユニットと、この上部収納ユニットの下方に着脱自在に配置され、その上部にシャッタが内蔵され、このシャッタの下方に、搬送通路の下端部にそれぞれ商品払出機構が配設された下部収納ユニットとから構成されていることを特徴とする。
【発明の効果】
【００３７】
以上のように本発明によれば、商品収納ラックの一側面に形成した開口部を覆う覆い板に、支持枠体を組付けて固定し、前記支持枠体に左右１組の商品払出機構を互いに背中合わせの姿勢で係合させて、覆い板と支持枠体と１組の商品払出機構とをユニット化したことにより、商品払出ユニットを商品収納ラックに対して容易に着脱することができ、良好なメンテナンス性能を得ることができる。また、２つの商品払出機構を１つの商品払出ユニットに一体化したので、商品払出機構を個別に装着する場合と比較して、装着時の手間も半減する。
【００３８】
また、支持枠体を、覆い板にその一端部側が固定される上枠および下枠と、上枠および下枠の他端部同士を固定する側部枠とを有する構成としたことにより、簡単な構成で、商品払出機構を良好かつ確実に組付けることができ、商品払出機構としても、従来と同様な一般的なものを用いることができ、ひいては製造コストの低減化を図ることができるとともに、新規に商品払出機構を開発することによる開発費用や新規部品の保管費用などが別途に必要となることもない。
【００３９】
また、左右一対のラック側板間に、商品払出ユニットの挿入時に支持枠体をスライドさせながら案内する上ガイドと下ガイドとを取り付けることにより、商品払出ユニットの挿入時に、上ガイドと下ガイドとにより商品払出ユニットを上下から挟持されて安定した状態で案内させることができて、良好かつ容易に挿入作業を行うことができる。また、商品払出ユニットを、上ガイドと下ガイドとにより案内させながら、スライドさせるだけで脱着できるので、脱着作業が極めて容易となり、作業能率が良好である。
【００４０】
また、覆い板に、上ガイドの端部が突入するスリット孔を形成し、前記上ガイドの端部に、覆い板を位置規制するフック部を形成することにより、商品払出ユニットの装着時にフック部によって商品払出ユニットの覆い板を位置規制することができて、商品払出ユニットを装着する際の固定部品の数を少なめに抑えることができる。
【００４１】
また、覆い板に、搬送通路の下端部において、ラック側板と略同一面となるように配設されて、商品を案内する案内面を形成し、この案内面の上部に、ラック側板に案内された商品を前記案内面にガイドする傾斜面を形成することにより、ラック側板の内壁面に臨む箇所から、覆い板の案内面に臨む箇所に商品が移動する際に、覆い板の上部に形成された傾斜面によって良好に案内されながら案内面に接し、段差により商品が異常な姿勢になることを防止できて、信頼性が向上する。
【００４２】
また、支持枠体を案内する下ガイドを、商品払出機構のハーネス部に接続された配線部を内部に通し、かつ搬送通路に対して覆う断面形状に形成したことにより、下ガイドによって、商品払出機構のハーネス部に接続された配線部が商品に当たるなどして損傷することを防止できるとともに、商品が配線部に引っかかって商品詰まりを生じることも防止でき、さらに、配線部の取出し作業も容易化できる。また、支持枠体を案内する下ガイドを配線部の保護材料としても兼用しているので、ガイド部材と保護材料とを個別に設けた場合と比較して部品点数を削減することができる。
【００４３】
また、商品収納装置を、搬送通路の下端部にそれぞれ商品払出機構が配設された上部商品収納装置と、この上部商品収納装置に対して着脱自在で、シャッタが内蔵された遮断装置と、遮断装置に対して着脱自在で、搬送通路の下端部にそれぞれ商品払出機構が配設された下部商品収納装置とから構成することにより、上部商品収納装置と、遮断装置と、下部商品収納装置とが互いに着脱自在であるので、メンテナンス時などに、対象となる装置を取り外して作業することが可能となり、商品収納装置全体を移動分解する場合と比較して、作業の軽減化を図ることができる。
【００４４】
また、所定数の列の商品搬送通路が設けられてなる商品収納ラックを、搬送通路の下端部にそれぞれ商品払出機構が配設された上部収納ユニットと、この上部収納ユニットに対して着脱自在で、シャッタが内蔵された遮断ユニットと、遮断ユニットに対して着脱自在で、搬送通路の下端部にそれぞれ商品払出機構が配設された下部収納ユニットとから構成することにより、上部収納ユニットと、遮断ユニットと、下部収納ユニットとが互いに着脱自在であるので、メンテナンス時などに、対象となるユニットを取り外して作業することが可能となり、商品収納ラック全体を移動分解する場合と比較して、作業の軽減化を図ることができる。
【００４５】
また、前後方向に複数組並べて設けられた遮断ユニット同士と下部収納ユニット同士とを同じ構造のものに共通化することにより、製造コストの低減化を図ることができる。
また、商品収納装置全体を自動販売機本体から手前側に引き出して吊り下げた状態に保持できるスライドレール装置を備えることにより、商品収納装置全体を自動販売機本体から手前側に引き出した状態に保持できるので、引き出した状態のままでメンテナンス作業などを行うことも可能となり、作業能率が向上する。
【発明を実施するための最良の形態】
【００４６】
以下、本発明の実施の形態に係る自動販売機の商品収納装置を、図面に基づき説明する。なお、図１は本発明の実施の形態に係る自動販売機を簡略的に示す全体斜視図、図２（ａ）および（ｂ）は同自動販売機の自動販売機本体の側面断面図および全体斜視図（ただし、商品収納装置を１列分だけ配設した状態を示す）、図３（ａ）および（ｂ）は同自動販売機の自動販売機本体から商品収納装置を手前側に引き出した状態を示す側面断面図および全体斜視図（ただし、商品収納装置を１列分だけ配設した状態を示す）である。
【００４７】
図１に示すように、自動販売機の接客部としての前面には前面扉１が配設されており、この前面扉１は、商品が収納、搬送される商品収納装置１０（図２、図３参照）などが格納された自動販売機本体２に開閉可能に取り付けられている。前面扉１の上部には、多数の商品見本３が展示されている展示室２０が設けられているとともに、各商品見本３に対応して、利用者が購入する商品を選択する商品選択ボタン４などが配設されている。
【００４８】
前面扉１の中央部には、硬貨を投入するコイン投入口５や、投入金額などが表示される投入金額表示部６、釣銭や投入金を返却指示するための釣銭返却レバー７などが設けられている。また、前面扉１の下部には、購入商品が払い出される商品取出口８や、釣銭等が払い出されるコイン返却口９が設けられている。
【００４９】
図２や図３に示すように、自動販売機本体２における上部から中央部にかけては商品が収納され、外部から断熱された庫内（空間）１１とされている一方、自動販売機本体２の下部は外部と空気の流通がある庫外（空間）１２とされ、庫外１２には、図示しないが、冷凍サイクルの圧縮機や凝縮器などが配設されている。庫内１１は上下方向および奥行方向に延び、それぞれ断熱性を有する断熱仕切壁１３により、複数の断熱室１４に区画されている（図２においては、自動販売機本体２に、左右に４つの断熱室１４が形成されている場合を示す）。１５は、庫内１１と庫外１２とを断熱的に仕切る断熱底面部（いわゆる内箱の底面部）、１７は、庫内１１の前面開口部における中間部分を断熱して仕切る開閉自在の内扉である（この実施の形態では、庫内１１の前面開口部における中間部分だけを覆う場合を図示しているが、これに限るものではなく、庫内１１の前面開口部全体を開閉する構成でもよい）。なお、この実施の形態では、庫内１１の前面上部が、前面扉１の裏面上部で開閉自在とされており、前面扉１を開けると、後述する商品投入口２２が臨み、この商品投入口２２から商品を直接補充できるよう構成されている。また、１８は商品収納装置１０から払い出された商品を商品取出口まで流れ落とすシュートである。
【００５０】
本実施の形態の自動販売機においては、各商品収納装置１０の中間部に、これより上方の上部商品収納領域と下方の下部商品収納領域とを断熱的に上下に仕切って２分割する開閉自在のシャッタ２１（図４参照）が配設されているとともに、各断熱室１４における上下方向の略中間部に、手前側ほど低くなるように傾斜する傾斜断熱壁１６が設けられている。そして、これらのシャッタ２１および傾斜断熱壁１６により、断熱室１４内が、上部商品収納領域を含む上部断熱領域１４ａと、下部商品収納領域を含む下部断熱領域１４ｂとに上下に２分割された断熱状態に仕切られている。図示しないが、各下部断熱領域１４ｂの底部（シュート１８の下方）には、下部断熱領域１４ｂ内の空気を冷却する冷凍サイクルの蒸発器や、下部断熱領域１４ｂ内の空気を加温するヒータ、空気を循環させる送風機などが配設されており、各下部断熱領域１４ｂ毎に、冷却または加温される（いわゆる調温される）よう構成されている。一方、シャッタ２１および傾斜断熱壁１６により、下部断熱領域１４ｂ内の空気が、上部断熱領域１４ａ側には流入しないよう図られており、上部断熱領域１４ａ内は、基本的に冷却されたり加温されたりしない（すなわち調温されない）よう図られている。
【００５１】
図４に示すように、商品収納装置１０内には、庫内１１の前面上部に臨む商品投入口２２から奥側に向かって下方に傾斜しながら延びる傾斜導入通路２３が上下に複数設けられているとともに、傾斜導入通路２３の奥端部にその上端が接続された搬送通路２４が前後方向に複数列（この実施の形態では６列）形成されている。搬送通路２４は、略上方から下方に蛇行状に延びて、商品を収納しつつ下方に送るように配設されている。この商品収納装置１０では、搬送通路２４が前記シャッタ２１により、上部商品収納領域と下部商品収納領域とに上下に２分割された状態で仕切られ、上部商品収納領域の下端部と下部商品収納領域の下端部とに、各商品収納領域における搬送通路２４の下端の商品を下方に一つずつ払い出す商品払出機構（いわゆるベンドメカニズム）２５が配設されている。
【００５２】
また、商品収納装置１０は、それぞれ２列分の搬送通路２４が設けられた商品収納ラック２６（２６Ａ〜２６Ｃ）が前後に複数（この実施の形態では３つ）連結された構成とされ、断熱室１４の天井面内面に沿って前後に延びるように取り付けられたスライドレール装置２７により、各商品収納ラック２６が吊り下げられた状態で、前後方向（すなわち奥行方向）にスライド自在に支持されている。図５〜図８などに示すように、スライドレール装置２７は、断熱室１４の天井面内面に取り付けられた取付固定枠２８と、取付固定枠２８の内側に固定された左右１対の外レール２９と、外レール２９に対して前後方向にスライド自在に支持された左右１対の中間スライドレール３０と、商品収納装置１０の上辺部分に取り付けられ、中間スライドレール３０に対して前後方向にスライド自在に支持された左右１対の内スライドレール３１などを備えている。そして、前面扉１および内扉１７を開けた状態で、スライドレール装置２７を介して、商品収納装置１０全体を手前に引き出せるようになっており、図３に示すように、商品収納装置１０全体を引き出した状態（引出姿勢と称す）でも、スライドレール装置２７により吊り下げた状態に維持可能に構成されている。なお、内スライドレール３１は、前後の商品収納ラック２６同士を連結する連結部材としても機能する。
【００５３】
なお、図７に簡略的に示すように、スライドレール装置２７の前端部分には、商品収納装置１０を自動販売機本体２内に収納した姿勢（収納姿勢と称す）から、商品収納装置１０が手前側に移動しようとした場合でも、商品収納装置１０の側面部分をなす側板の前端部（後述する上部収納ユニット４１の側面部分をなす左右の上部ラック側板４７の上端前端部）に係合して、商品収納装置１０が手前側に飛び出すことを阻止して収納姿勢を維持する収納姿勢ロック装置３２が設けられている。この収納姿勢ロック装置３２は、外レール２９の前端部に固定され、前端が後方に屈曲するフック形状に形成された係止片３３と、この係止片３３を内側に押圧する板ばね３４とからなる。そして、商品収納装置１０を引出姿勢から収納姿勢に移動した際には、係止片３３のフック形状部分が、上部ラック側板４７の上端前端部を乗り越えて前方に位置して係合可能な姿勢となり、商品収納装置１０の手前側への移動を阻止するよう自動的にロックする。なお、商品収納装置１０を手前側に引き出す際には、図７（ｂ）に示すように、係止片３３を一時的に外側に押し広げる（ａ方向に移動させる）ことで、係止片３３が、上部ラック側板４７の上端前端部に係止しない位置となって、商品収納装置１０の前方への移動（引出動作）が許容される。
【００５４】
また、図９（ａ）、（ｂ）に示すように、スライドレール装置２７には、商品収納装置１０が自動販売機本体２から引き出された引出姿勢から、商品収納装置１０が奥側に移動しようとした場合でも、商品収納装置１０が奥側に移動しないようを阻止して引出姿勢を維持する引出姿勢ロック装置３６が設けられている。すなわち、内スライドレール３１の後端部には、ピン３７を介してロックレバー３５が揺動可能に取り付けられており、商品収納装置１０が自動販売機本体２から引き出されると、このロックレバー３５の先端部近傍箇所から下方に膨出する部分が、中間スライドレール３０の前端部に形成された切り起こし片部３０ａに当接可能な位置関係となって、商品収納装置１０が奥側に移動しようとした場合には当接して奥側への移動が阻止されるよう構成されている（なお、ロックレバー３５が下方側に揺動するばねを内装してもよい）。これにより、商品収納装置１０を手前に引き出すと、この引き出し姿勢が良好に維持され、メンテナンス作業などを能率的に行えるように図られている。なお、メンテナンス作業などが終了し、商品収納装置１０を自動販売機本体２内に戻す際には、ロックレバー３５を一時的に持ち上げた状態で商品収納装置１０を押し込むことで、容易にロック状態が解除されて、支障なく押し込み動作を行うことができる。
【００５５】
図１０、図１１に簡略的に示すように、各商品収納ラック２６（２６Ａ〜２６Ｃ）は、搬送通路２４の下端部にそれぞれ商品払出機構２５が配設された上部収納ユニット４１と、この上部収納ユニット４１の下方に着脱自在に配設され、シャッタ２１およびこのシャッタ２１を開閉するシャッタ開閉機構５０（図２４、図２５参照）が内蔵された遮断ユニット４２と、この遮断ユニット４２の下方に着脱自在に配設され、搬送通路の下端部にそれぞれ商品払出機構２５が配設された下部収納ユニット４３とから構成されている。なお、上部収納ユニット４１については、前側ほど下方に長い構成とされている（すなわち、商品収納ラック２６Ａが最も長く、商品収納ラック２６Ｃが最も短い）が、遮断ユニット４２と、下部収納ユニット４３とはそれぞれ、同じ構造のものが用いられて（すなわち、各遮断ユニット４２が同じ構造のものが用いられ、また、各下部収納ユニット４３が同じ構造のものが用いられて）共通化が図られている。
【００５６】
なお、前後３つの上部収納ユニット４１により上部商品収納装置が構成され、前後３つの遮断ユニット４２により遮断装置が構成され、前後３つの下部収納ユニット４３により下部商品収納装置が構成されている。また、前後３つの上部収納ユニット４１は、内スライドレール３１をねじで固定することで互いに連結され、前後３つの遮断ユニット４２は後述する連結部材９６をねじで固定することで互いに連結される。そして、後述する方法によって遮断ユニット４２に対して下部収納ユニット４３を着脱することにより、下部商品収納装置全体を遮断装置に対して着脱することも可能であり、後述する方法によって上部収納ユニット４１に対して遮断ユニット４２を着脱することにより、遮断装置全体を上部商品収納装置に対して着脱することも可能である。
【００５７】
図１２（ｂ）に示すように、上部収納ユニット４１の側面部分をなす左右の上部ラック側板４７は、下辺部分が両側方に少しだけ延ばされて摺接部としての延出部４７ａが形成されている。また、遮断ユニット４２の側面部分をなす左右の遮断ユニット側板５１の上辺部分には、内側に窪む摺接部としての段部５１ａが形成されている。そして、上部収納ユニット４１における上部ラック側板４７の延出部４７ａの上に、遮断ユニット４２における遮断ユニット側板５１の段部５１ａが載った状態で、上部収納ユニット４１に対して遮断ユニット４２が前後方向にスライド可能に配設されており、上部収納ユニット４１に対して遮断ユニット４２が所定位置まで押し込まれた状態で、遮断ユニット側板５１の段部５１ａより上方に延びる箇所と、上部収納ユニット４１における上部ラック側板４７の下部とに渡って、固定手段としてのねじ５２がねじ込まれることで、上部収納ユニット４１に対して遮断ユニット４２が固定される。
【００５８】
また、図１２（ｃ）に示すように、遮断ユニット４２における遮断ユニット側板５１の下辺部分には、摺接部としての断面Ｕ字形状のレール部５１ｂが形成されている。また、下部収納ユニット４３の側面部分をなす左右の下部ラック側板５３には、その上辺部分に、摺接部としての断面逆Ｕ字形状のレール部５３ａが形成されている。そして、遮断ユニット４２における遮断ユニット側板５１のレール部５１ｂの上に、下部収納ユニット４３における下部ラック側板５３のレール部５３ａが載った状態で、遮断ユニット４２に対して下部収納ユニット４３が前後方向にスライド可能に配設されている。また、図１２（ｄ）、（ｅ）に示すように、遮断ユニット側板５１の下辺部の前端部には、斜め内側に傾斜するストッパとしての抜け止め片５１ｃが形成されている。そして、遮断ユニット側板５１のレール部５１ｂの真上に、下部ラック側板５３のレール部５３ａが載った状態で、下部収納ユニット４３が相対的に手前側に移動しようとした場合でも、下部ラック側板５３のレール部５３ａの前端部が、前記抜け止め片５１ｃ（この抜け止め片５１ｃを屈曲姿勢とした場合）に当接し、下部収納ユニット４３の手前側への移動が阻止されるように構成されている。なお、下部収納ユニット４３を、遮断ユニット４２に対して手前側に引き出す際には、前記抜け止め片５１ｃを、下部ラック側板５３のレール部５３ａに当接しない位置まで外側に曲げて変形させることで、下部収納ユニット４３を手前側に引き出すことが可能である。
【００５９】
図４、図１３などに示すように、上部収納ユニット４１は、上部収納ユニット４１の側面部分をなす左右の上部ラック側板４７と、これらの間に配設されて、傾斜導入通路２３の底面部をなす複数の傾斜導入ガイド４８（具体的には、各上部収納ユニット４１に、前後方向に分割されて設けられている）と、左右の上部ラック側板４７間において互いに対向するように配設されて、搬送通路２４の前面部および後面部をなす略断面円弧状の案内ガイド（いわゆるセグメント）５６と、互いに背中合わせに配設される商品払出機構２５などから構成される。
【００６０】
図１３〜図１６に示すように、商品収納ラック２６の一側面における上部商品収納領域の下端部に相当する位置には略矩形状の開口部６１が形成されている。また、この開口部６１を覆う略平板状の覆い板６２に、商品払出機構２５を支持させる支持枠体６３を組付けて固定している。図１５〜図２０に示すように、支持枠体６３は、覆い板６２にその一端部側が固定される上枠６４および下枠６５と、上枠６４および下枠６５の他端部同士を固定する側部枠６６とから構成されており、覆い板６２と側部枠６６との間の間隔が、商品払出機構２５の幅よりも若干広い状態で固定されている。そして、支持枠体６３に左右１組の商品払出機構２５を互いに背中合わせの姿勢で係合させて、覆い板６２と支持枠体６３と１組の商品払出機構２５とをユニット化しており、このユニット化した商品払出ユニット６０を、開口部６１を通して挿入、離脱させることで商品収納ラック２６に対して着脱自在に構成している。また、左右一対の上部ラック側板（ラック側板）４７間に、商品払出ユニット６０の挿入時に、支持枠体６３の上枠６４を案内する上ガイド６７と、支持枠体６３の下枠６５を案内する下ガイド６８とが取り付けられている。
【００６１】
図１７〜図２１などに示すように、支持枠体６３の上枠６４は、断面形状が側面視して略凹の字状（中央部にＵの字形状部分を有する四角形状）とされ、中央に下方に窪むＵの字形状部６４ａと、Ｕの字形状部６４ａの端部から前方と後方とに延びる上面部６４ｂと、上面部６４ｂの端部から斜め下方に延びる下延部６４ｃと、Ｕの字形状部６４ａの左右の端部における上下に沿う辺の箇所からそれぞれ突出する対となった突片部６４ｄとを有している。そして、支持枠体６３の組立時において、上枠６４を、覆い板６２および側部枠６６に組付ける際には、図２０などに示すように、上枠６４の突片部６４ｄを、覆い板６２に形成した係止用角孔６２ａと、側部枠６６に形成した係止用角孔６６ａとに挿入して、前後に屈曲させることにより、上枠６４を覆い板６２と側部枠６６とに対して固定するようになっている。
【００６２】
図２０に示すように、支持枠体６３の下枠６５は、筒状のカラー６９を、覆い板６２と側部枠６６との間に配設した状態で、頭部付きの長尺のピン７０を、側部枠６６の下部に形成した孔部６６ｂと、前記カラー６９と、覆い板６２の下部に形成した孔部６２ｂとの順で挿通させた後、覆い板６２より突出させた先端に、ブッシュナット７１を嵌め合わせることで固定させて組付けている。
【００６３】
図１６、図１８などに示すように、商品払出機構２５は、金属板をプレス加工するなどして形成され、多数の開口窓が形成された外枠７２の内側に、外枠７２から出退自在に配置されて、商品払出機構２５が臨む搬送通路２４の下端の商品を下方から保持可能な下部ストッパ７３と、下部ストッパ７３よりも少し上方の位置で外枠７２から出退自在に配置されて、商品払出機構２５が臨む搬送通路２４の下から２番目の商品を下方から保持可能な上部ストッパ７４と、これらの下部ストッパ７３や上部ストッパ７４を、連動リンクなどを介して駆動させる駆動源としてのソレノイド７５となどを配設した構造とされている。そして、図１８などに示すように、販売待機時には、下部ストッパ７３だけを搬送通路２４に突出させて下端の商品を保持し、下端の商品を含めた搬送通路２４の商品が流れ落ちることを阻止している。一方、商品の販売指示があると、ソレノイド７５を駆動させて、上部ストッパ７４を搬送通路２４に突出させて下から２番目の商品を保持した状態で、下部ストッパ７３の搬送通路２４からの後退を許容させることにより、下端の商品を下方に払い出すよう構成している。なお、７６および７７は、対応する搬送通路２４の商品切れを検知する売切検知レバーおよび売切検知スイッチである。
【００６４】
ここで、図１７（ａ）に示すように、商品払出機構２５における外枠７２の上辺部には、その両側面に、上方に突出する支持用上部爪７２ａがそれぞれ形成されているとともに、上辺部の片側には、背面寄り箇所から上方に延びる支持用上部フック７２ｂが形成されている。そして、商品払出機構２５を支持枠体６３の上枠６４に対して組付ける際には、商品払出機構２５の上部を上枠６４に対して下方から差し込んで、外枠７２の上辺部の支持用上部爪７２ａと支持用上部フック７２ｂとにより、上枠６４のＵの字形状部６４ａを両側から挟みこむように嵌め込むことで、商品払出機構２５の上部を上枠６４に組付けるよう構成されている。
【００６５】
また、商品払出機構２５における外枠７２の側面部下端には、支持枠体６３の下枠６５の上部に（詳しくは、筒状のカラー６９の上半周面に）上方から載った姿勢で係合する支持用下部爪７２ｃが形成されているとともに、樹脂などの弾性変形可能な材料で形成されて、支持枠体６３の下枠６５の下部に下方から嵌合する弾性フック７８が取り付けられている。そして、上記のようにして、商品払出機構２５の上部が上枠６４に嵌合するように商品払出機構２５を若干持ち上げながら、商品払出機構２５の下部の支持用下部爪７２ｃと弾性フック７８との間に下枠６５が嵌り込むように、商品払出機構２５の下部を背面側から下枠６５側に押し込むことで、支持枠体６３の上枠６４および下枠６５に商品払出機構２５を組付けることができる。そして、各商品払出機構２５を組付けることで、左右１組の商品払出機構２５を互いに背中合わせの姿勢で係合させてユニット化できる。
【００６６】
各商品払出機構２５には、ソレノイド７５を駆動させるためのハーネス部８３や売切検知スイッチ７７を接続するためのハーネス部８３（図１６参照）が設けられているが、これらのハーネス部８３に接続されて、商品払出機構２５の下部から上部ラック側板４７の外部に配線を取出す配線部としての中間配線部８２が、側部枠６６の下端部に一部が係止された状態で取り付けられている。そして、前記ハーネス部８３の端部および中間配線部８２が商品払出ユニット６０の下辺部分に沿って、一側方（側部枠６６が設けられている側）に突出する姿勢で取り付けられている。
【００６７】
図２１〜図２３に示すように、商品払出ユニット６０の挿入時に支持枠体６３の上枠６４を案内する上ガイド６７は、筒状のカール部７９ａと、カール部７９ａから下方に断面略Ｌ字形状に屈曲する屈曲面部７９ｂと、屈曲面部７９ｂの端部から下方に突出する突条部７９ｃなどを有する第１ガイド材７９と、筒状のカール部８０ａと、カール部８０ａから下方に断面略Ｌ字形状に屈曲する屈曲面部８０ｂと、屈曲面部８０ｂの端部から上方に突出する突条部８０ｃを有する第２ガイド材８０とが突き合わされた構成とされている。そして、それぞれカール部７９ａ、８０ａの端部などが、上部ラック側板４７に形成された係合孔などに係合されることで上部ラック側板４７に組みつけられて（固定されて）いる。
【００６８】
また、図１７、図１８、図２１（ａ）、（ｂ）などに示すように、覆い板６２および側部枠６６における上枠６４の突片部６４ｄが挿入されている角孔６２ａ、６６ａの直ぐ上方にはそれぞれ、上ガイド６７の突条部７９ｃが挿入されるスリット孔６２ｃ、スリット状切欠部６６ｃが形成されている。そして、商品払出ユニット６０の挿入時には、上ガイド６７の突条部７９ｃ、８０ｃが、側部枠６６のスリット状切欠部６６ｃ、支持枠体６３の上枠６４におけるＵの字形状部６４ａ、覆い板６２のスリット孔６２ｃに順に挿入され、これにより、支持枠体６３が上枠６４により案内されながら良好に導入できる。また、上ガイド６７の突条部７９ｃ、８０ｃの覆い板６２より突出している端部は、上方に突出したフック部７９ｄ、８０ｄが形成され、商品払出ユニット６０の挿入時に、覆い板６２のスリット孔６２ｃが前記フック部７９ｄ、８０ｄを乗り越えた状態で配設されることで、覆い板６２の上部側の位置決めを行えるよう構成されている。なお、図１４における８１は、第１ガイド材７９や第２ガイド材８０に弾性変形可能に取り付けられて、搬送通路２４の下端部に導入されてきた商品の姿勢を良好な姿勢に矯正する規制板であるが、この規制板８１によっても支持枠体６３の上枠６４が案内される上ガイドとしても機能させてもよいが、これに限るものではない。
【００６９】
商品払出ユニット６０の挿入時に支持枠体６３の下枠６５を案内する下ガイド６８は、図１５などに示すように、断面略Ｕ字形状とされ、商品払出ユニット６０の挿入時に、商品払出機構２５のハーネス部８３や中間配線部８２を保護した状態で案内するようになっている。また、下ガイド６８は、商品収納ラック２６の他側面をなす上部ラック側板４７に形成された孔部に係止されるとともにねじ止めされており、前記上部ラック側板４７に固定されている。また、支持枠体６３の側部枠６６における下端部の角部には、下ガイド６８の上端部に摺接する切欠部６６ｄが形成され、商品払出ユニット６０の挿入時には、前記側部枠６６の切欠部６６ｄが下ガイド６８の上端部に摺接する状態で良好に案内されながら導入されるよう構成されている。なお、商品収納ラック２６の他側面をなす上部ラック側板４７には、商品払出ユニット６０の装着時に中間配線部８２を通す挿通孔４７ｂ（図１５参照）が形成されている。
【００７０】
覆い板６２には、商品払出ユニット６０の装着時において、搬送通路２４の下端部において、一側面をなす上部ラック側板４７の内面とほぼ同一となって、商品を案内する案内面６２ｄが、覆い板６２の他の部分よりは搬送通路２４側に段付き形状に突出した状態で形成されている。また、この案内面６２ｄの上部には、商品を前記案内面６２ｄ側にガイドする傾斜面６２ｅが形成されている。これにより、商品は、段差などにより引っかかること無く、傾斜面６２ｅに案内された後、前記案内面６２ｄに沿って導かれながら、支障なく下方へ流れ落ちる。また、覆い板６２の下端部中央には、上部ラック側板４７と重なる突片部６２ｆが下方に延ばされているとともに、この突片部６２ｆに挿通孔６２ｇ（図１５、図１８参照）が形成されている。そして、商品払出ユニット６０を装着した状態で、この突片部６２ｆの挿通孔６２ｇを通して、この挿通孔６２ｇと重なる位置に形成された遮断ユニットラック側板５１のねじ孔５１ｄ（図１４参照）に固定用のねじ８４（図１４、図２１（ｃ）参照）をねじ込むことで、商品払出ユニット６０を良好に位置決めさせた状態で固定できるよう構成されている。
【００７１】
図２４に示すように、遮断ユニット４２は、四角枠形状のケース８５内に、搬送通路２４毎に対応して観音開き式の対となったシャッタ２１が開閉自在に配設されている。ここで、シャッタ２１は、搬送通路に対して前端位置および後端位置となる箇所に回転支持用のピン８６が配設され、このピン８６を中心として開閉自在に支持されているが、このピン８６およびシャッタ２１の軸支部分の上方箇所はケース８５の一部が内側に延びて覆うような形状となっている。これにより、シャッタ２１の軸支部分とケース８５の側壁部との間に、長期間の使用などにより隙間を生じても、シャッタ２１よりも下方の下部商品収納領域内の空気が、シャッタ２１よりも上方の上部商品収納領域内に流入し難くなるよう図られている。また、各シャッタ２１は、ピン８６に外装された付勢ばね８７により、上方に回動するよう付勢されているが、シャッタ２１の先端が下方に傾斜した姿勢で、シャッタ２１の先端同士が当接して、閉鎖時において、シャッタ２１の先端が必ず密接し、これによっても、シャッタ２１よりも下方の下部商品収納領域内の空気が、シャッタ２１よりも上方の上部商品収納領域内に流入し難くなるよう図られている。なお、前記回転支持用のピン８６や付勢ばね８７などによりシャッタ開閉機構５０が構成されている。
【００７２】
上述したように、上部収納ユニット４１については、前側ほど下方に長い構成とされているため、これに伴って、遮断ユニット４２や下部収納ユニット４３も前側のものほど低い位置に配置されている。そして、シャッタ２１よりも下方の下部商品収納領域内の空気が、良好に循環するように、図２４、図２５に示すように、ケース８５内におけるシャッタ２１より下方の搬送通路２４間を仕切る中間側壁部８５ａと、後方の側壁部８５ｂとにはそれぞれ通気孔が形成されて、前後の遮断ユニット４２間や下部収納ユニット４３間での空気の流通状態が良好になるよう図られている。なお、最も後方の遮断ユニット４２内からの空気は、自動販売機本体２の背面内側に沿って延びる通風ダクト１９内に流入して循環されるよう構成されている。
【００７３】
図２６、図２７に示すように、下部収納ユニット４３の下部には、下部ラック側板５３間に、商品払出機構２５の上端部や下端部を係合させる固定用上ロッド部材９０および固定用下ロッド部材９１が取り付けられ、これらの固定用上ロッド部材９０および固定用下ロッド部材９１に対して、商品払出機構２５の上端部や下端部を係合させて、商品払出機構２５を組みつけている。なお、商品払出機構２５の構造は、上部収納ユニット４１に配設した商品払出機構２５と同じである。
【００７４】
下部収納ユニット４３の各搬送通路２４の上端部には、下部収納ユニット４３内の各搬送通路２４内に商品が満杯になったかどうかを検出するための満杯検知レバー９２が配設されているとともに、この満杯検知レバー９２による満杯検知動作を行う満杯検知スイッチセンサ９３がその近傍に配設されている。そして、下部収納ユニット４３において、商品の払出動作が行われて、搬送通路２４において満杯状態から非満杯状態に切り換わったことを検知した場合には、上部収納ユニット４１の商品払出機構２５を駆動させて、上部収納ユニット４１の搬送通路２４における下端の商品を、遮断ユニット４２を介して下部収納ユニット４３側に搬送させ、下部収納ユニット４３の搬送通路２４へ商品が補充されるよう構成されている。
【００７５】
図２〜図４、図２５などに示すように、上部ラック側板４７および覆い板６２には、搬送通路２４の商品の姿勢を視認するとともに商品の姿勢を変更させるドライバなどの治具を挿入可能な作業用孔８８が形成されている。また、図２６、図２７などに示すように、下部商品収納領域に対応する下部ラック側板５３には、搬送通路２４の商品の姿勢を視認するとともに商品の姿勢を変更させる治具を挿入可能な機能に加えて、調温された空気を導入可能な作業用兼通風孔８９が形成されている。この実施の形態では、通風孔としても兼用される下部ラック側板５３の作業用孔８９は、通風孔としては兼用されない上部ラック側板４７および覆い板６２の作業用孔８８よりも大きめのものが用いられているがこれに限るものではない。
【００７６】
図３、図２９などに示すように、商品収納装置１０において、商品収納ラック２６内の領域においては、シャッタ２１により上部商品収納領域と下部商品収納領域とに分割されているが、断熱室１４における商品収納ラック２６より外部の領域について、単に、断熱室１４における上下方向の中間部に、手前側ほど低くなるように傾斜する傾斜断熱壁１６を設けただけでは、遮熱性能があまり上がらないので、傾斜断熱壁１６の上面や傾斜断熱壁１６の後端部に続く通風ダクト１９の前面部分には、密閉性を高めるスポンジ９４が貼り付けられている。また、通常販売時において、これらの傾斜断熱壁１６およびスポンジ９４に密着するように、各遮断ユニット４２のケース８５の両側面部には、前後３つの遮断ユニット４２にわたって取り付けられる連結部材９６の下面に遮熱用ガスケット９５（図５（ｂ）、（ｃ）参照）が取り付けられている。なお、連結部材９６は、前後の商品収納ラック２６同士を連結する機能と、ガスケット支持材としての機能とをかねており、前側ほど低い位置となるように、斜め方向に沿って延びるように、各遮断ユニット４２のケース８５の両側面部に取り付けられている。また、図２７、図２８に示すように、一方のガスケット（図２７に示す場合では向かって右側のガスケット）９５には、その上面部分に、中間配線部８２からの配線が接続される上集合ハーネスコネクタ９７が沿わせて配設されており、また、下面部分の一部に、下部収納ユニット４３側からのハーネス部が接続される下集合ハーネス部９８が沿わせて配設されている。なお、下集合ハーネス部９８と下部収納ユニット４３側からのハーネス部とが通過する箇所には、傾斜断熱壁１６が少しだけ隙間をあけて配設されており、断線などの支障を来たすことのないよう構成されている。なお、これらの上集合ハーネス部９７や下集合ハーネス部９８は後方に伸ばされて、通風ダクト１９の近傍箇所に沿って、庫外空間側に接続されている。
【００７７】
上記構成によれば、商品収納ラック２６内（すなわち上部収納ユニット４１と遮断ユニット４２と下部収納ユニット４３との内部）においては、シャッタ２１によりこれより上方の空間（上部商品収納領域）とこれより下方の空間（下部商品収納領域）とに良好に物理的および熱的に仕切られる。また、断熱室１４における商品収納ラック２６よりも外部の領域においては、手前側ほど低くなるように傾斜する傾斜断熱壁１６によって、これより上方の空間と下方の空間とが物理的および熱的に仕切られる。また、通常販売時には、自動販売機本体２側に取り付けられた傾斜断熱壁１６上のスポンジ９４に、商品収納ラック２６側に取り付けられたガスケット９５が密着されており、これにより、断熱室１４における商品収納ラック２６より外部の領域においても、良好に物理的および熱的に仕切られる。
【００７８】
したがって、販売する商品として、乳成分を含むなど、長期加温した場合に劣化する恐れがある場合でも、商品が上部商品収納領域にある場合には加温されず、下部商品収納領域（下部収納ユニット４３）に搬送されてきてから加温されるので、商品の劣化を最小限に抑えることができる。また、下部商品収納領域については内部を加温しているので、販売する商品は、下部商品収納領域に収納されている間に良好に加温されて販売される。
【００７９】
上記構成において、商品収納ラック２６内で商品詰まりを生じるなどしてメンテナンス作業が必要となった場合には、以下のような作業を行う。
すなわち、前面扉１および内扉１７を開けた状態で、スライドレール装置２７を介して、メンテナンス対象となる商品収納装置１０全体を手前に引き出す。図３に示すように、この状態で、商品収納装置１０全体がスライドレール装置２７により吊り下げられた状態のままで手前側に露出するので、まず、この状態で、商品収納装置１０（商品収納ラック２６（２６Ａ〜２６Ｃ））の状態を観察することができる。また、上部ラック側板４７や覆い板６２、下部ラック側板５３には、作業用孔８８や作業用兼通風孔８９が形成されているので、搬送通路２４の途中などで商品の姿勢が崩れて詰まってしまっていた場合などでも、この作業用孔８８や作業用兼通風孔８９を通して、商品の姿勢を視認することができるとともに、姿勢が崩れている商品に対して、作業用孔８８や作業用兼通風孔８９からドライバなどの治具を挿入して、商品を正常な姿勢に矯正することができ、これにより、このような場合には、商品収納装置１０を取り外したり、分解したりせずに、メンテナンス作業を行うことができて、作業能率が向上する。
【００８０】
また、上記のような治具の挿入などでは解決しない場合でも、上記構成によれば、上部収納ユニット４１と、遮断ユニット４２と、下部収納ユニット４３とが互いに着脱自在であるので、メンテナンス時などに、対象となるユニットを取り外して作業することが可能となり、商品収納ラック全体を移動して分解する場合と比較して、作業の軽減化を図ることができる。例えば、前後方向中間の下部収納ユニット４３や後方の下部収納ユニット４３に対してメンテナンス作業を行う場合でも、図２９に示すように、これらの下部収納ユニット４３だけを取り外して、メンテナンス作業を行うだけで済み、手間や時間を最小限に抑えることができて、作業能率が極めてよい。
【００８１】
また、遮断ユニット４２に対してメンテナンス作業を行う場合には、前後の遮断ユニット４２同士を連結する連結部材９６を取り外した状態で、対象となる遮断ユニット４２をその上方の上部収納ユニット４１から取り外して、メンテナンス作業を行えば済む。また、上部収納ユニット４１に対してメンテナンス作業を行う場合でも、上部収納ユニット４１における商品払出機構２５の箇所のメンテナンス作業を行う場合には、商品払出機構２５が組みつけられてユニット化されている商品払出ユニット６０を取り外して、作業を行えばよい。そして、この商品払出ユニット６０は、商品収納ラック２６の一側面に形成された開口部６１から引き出すことができるので、商品収納装置１０をスライドレール装置２７から吊り下げた状態のままで、商品払出ユニット６０を取り外すことができ、メンテナンス時の作業能率が良好となる。また、２つの商品払出機構２５を１つの商品払出ユニット６０に一体化したので、商品払出機構２５を個別に装着する場合と比較して、装着時の手間が半減する。
【００８２】
また、この場合に、商品払出ユニット６０の支持枠体６３は、覆い板６２に固定した上枠６４および下枠６５と、上枠６４および下枠６５同士を連結する側部枠６６とにより構成したことにより、極めて簡単な構成で、商品払出機構２５を安定した姿勢で良好かつ確実に組付けることができる。また、商品払出機構２５としても、従来と同様な一般的なものを用いることができ、ひいては製造コストの低減化を図ることができ、新規に商品払出機構を開発することによる開発費用や新規部品の保管費用などが別途に必要となることもない。
【００８３】
また、左右一対の上部ラック側板４７間に、商品払出ユニット６０の挿入時に支持枠体６３をスライドさせながら案内する上ガイド６７と下ガイド６８とを取り付けたことにより、商品払出ユニット６０の挿入時に、上ガイド６７と下ガイド６８とにより商品払出ユニット６０が上下から挟持されて安定した状態で案内され、良好かつ容易に挿入作業を行うことができる。また、商品払出ユニット６０をスライドさせるだけで脱着できるので、脱着作業が極めて容易となり、作業能率が良好である。
【００８４】
また、覆い板６２に、上ガイド６７の端部が突入するスリット孔６２ｃを形成し、前記上ガイド６２の端部に、覆い板６２を位置規制するフック部７９ｄを形成したことにより、商品払出ユニット６０の装着時にフック部７９ｄによっても商品払出ユニット６０の覆い板６２を位置規制することができて、商品払出ユニットを装着する際の固定部品（ねじ８４）の数を少なめに抑えることができる。
【００８５】
また、覆い板６２に、上部ラック側板４７（詳しくは上部ラック側板４７の内壁面）と略同一面となるように配設されて、商品を案内する案内面６２ｄを形成し、この案内面６２ｄの上部に、上部ラック側板４７に案内された商品を案内面６２ｄにガイドする傾斜面６２ｅを形成したことにより、上部ラック側板４７の内壁面に沿って搬送されてきた商品が、上部ラック側板４７の開口部６１の端面と覆い板の案内面６２との境界部の段差に商品がぶつかって、異常な姿勢になるなどして商品詰まりを生じることが防止され、前記傾斜面６２ｅおよび案内面６２ｄにより良好に案内されながら移動し、信頼性が向上する。
【００８６】
また、下部ラック側板５３に、搬送通路２４の商品の姿勢を視認するとともに商品の姿勢を変更させる治具を挿入可能で、かつ調温された空気を導入可能な作業用兼通風孔８９を形成したことにより、商品が搬送通路２４内で異常な姿勢となって商品詰まりを生じた場合に、作業用兼通風孔８９から治具を挿入して、治具により商品が正常な姿勢となるように変更することができるだけでなく、通常時において作業用兼通風孔８９を通して、搬送通路２４内に、調温された空気を良好に導入することができて、より効率的に商品を調温することができ、省エネルギー化を図ることができる。
【００８７】
また、支持枠体６３の上枠６４を案内する下ガイド６８により中間配線部８２を通して保護する構成としたことにより、中間配線部８２の損傷を防止できるとともに、商品が中間配線部８２に引っかかって商品詰まりを生じることも防止でき、さらに、中間配線部８２の取出し作業も容易化できる。また、下ガイド６８を中間配線部８２の保護材料としても兼用しているので、ガイド部材と保護材料とを個別に設けた場合と比較して部品点数を削減することができる。
【００８８】
また、２列分の搬送通路２４が設けられてなる商品収納ラック２６を、搬送通路２４の下端部にそれぞれ商品払出機構２５が配設された上部収納ユニット４１と、この上部収納ユニット４１に対して着脱自在で、シャッタ２１およびシャッタ開閉機構５０が内蔵された遮断ユニット４２と、遮断ユニット４２に対して着脱自在で、搬送通路２４の下端部にそれぞれ商品払出機構２４が配設された下部収納ユニット４３とから構成したことにより、上部収納ユニット４１と、遮断ユニット４２と、下部収納ユニット４３とが互いに着脱自在であるので、メンテナンス時などに、対象となるユニットを取り外して作業することが可能となり、商品収納ラック２６全体を移動分解する場合と比較して、作業の軽減化を図ることができる。
【００８９】
なお、下部収納ユニット４３を遮断ユニット４２から取り外す際には、遮断ユニット側板５１のレール部５１ｂに設けられた抜け止め片５１ｃを外側に曲げて変形させて、下部収納ユニット４３をスライドさせるだけで、下部収納ユニット４３を引き出すことが可能であるので、作業能率が良好であるとともに、通常時は、抜け止め片５１ｃにより、下部収納ユニット４３の正規位置が保持されるので良好な信頼性を維持することができる。また、遮断ユニット４２を上部収納ユニット４１から取り外す際には、遮断ユニット側板５１の上部と上部ラック側板４７の下部とに渡って通されたねじ５２を取外し、遮断ユニット４２をスライドさせるだけで、容易に遮断ユニット４２を分離することが可能であるので、作業能率が良好であるとともに、通常時は、ねじ５２により、遮断ユニット４２の正規位置が保持されるので良好な信頼性を維持することができる。
【００９０】
また、前後方向に複数組並べて設けられた遮断ユニット４２同士と下部収納ユニット４３同士とが同じ構造のものに共通化することにより、製造コストの低減化を図ることができる。
【００９１】
また、商品収納装置１０全体を自動販売機本体２から手前側に引き出した状態に保持できるスライドレール装置２７を備えたことにより、商品収納装置１０全体を自動販売機本体２から手前側に引き出した状態に保持できるので、引き出した状態のままでメンテナンス作業などを行うことも可能となり、作業能率が向上する。
【００９２】
なお、上記実施の形態では、商品収納ラック２６を、上下方向に対して、上部収納ユニット４１と遮断ユニット４２と下部収納ユニット４３との３つのユニットに３分割し、それぞれ２列分の搬送通路２４毎にモジュール化し、９個のユニットを連結して奥行き方向に対して６コラム（搬送通路２４）、１列のラックユニットとして構成したが、これに限るものではなく、上部収納ユニット４１と遮断ユニット４２とを一体化したり、または遮断ユニット４２と下部収納ユニット４３とを一体化したりして、上下方向に対して２分割した構造としてもよい。また、前後方向に一体化する搬送通路２４の構成部品（いわゆるコラム）を、２列にせずに、前後方向に３つの搬送通路２４の構成部品（コラム）や、４つの搬送通路２４の構成部品（コラム）を一体化してもよい。
【００９３】
また、上記実施の形態では、上下方向での各ユニット（上部収納ユニット４１、遮断ユニット４２、下部収納ユニット４３）間の連結構造をスライド方式とした場合を述べたが、これに限るものではなく、単純に上下方向に合わせて、複数のねじによって締結、連結してもよい。
【００９４】
また、上記実施の形態では、前後の上部収納ユニット４１同士の連結を、内スライドレール３１により行う構造としたが、これに限るものではなく、従来と同様に、自動販売機本体２の天井面下面に、断面形状が上向きＵ字状のブラケットを内スライドレールに一体化しておき、このブラケットに対して、上端部を下向きＵ字状に形成した上部収納ユニット４１を引っ掛ける構造とし、自動販売機の設置現場で、上部収納ユニット４１を自動販売機本体２から容易に離脱できるように構成してもよい。
【図面の簡単な説明】
【００９５】
【図１】本発明の実施の形態に係る自動販売機を簡略的に示す全体斜視図である。
【図２】（ａ）および（ｂ）は同自動販売機の自動販売機本体の側面断面図および全体斜視図である（ただし、商品収納装置を１列分だけ配設した状態を示す）。
【図３】（ａ）および（ｂ）は同自動販売機の自動販売機本体から商品収納装置を手前側に引き出した状態を示す側面断面図および全体斜視図である（ただし、商品収納装置を１列分だけ配設した状態を示す）。
【図４】同自動販売機の商品収納装置の側面断面図である。
【図５】（ａ）は同自動販売機の商品収納装置上部の要部拡大正面図、（ｂ）は同自動販売機の商品収納装置の全体正面図および要部拡大正面図、（ｃ）は同自動販売機の商品収納装置の全体斜視図および要部拡大正面図である。
【図６】（ａ）〜（ｄ）は同自動販売機のスライドレール装置の要部正面図、平面図、側面図および斜視図である。
【図７】（ａ）および（ｂ）はそれぞれ同自動販売機のスライドレール装置の要部斜視図、（ｃ）は要部平面図である。
【図８】（ａ）および（ｂ）はそれぞれ同自動販売機の商品収納装置を手前側に引き出した状態を示す斜視図である。
【図９】（ａ）および（ｂ）は同自動販売機のスライドレール装置の要部斜視図、（ｃ）および（ｄ）は同自動販売機のガスケット配設部分の要部斜視図である。
【図１０】（ａ）および（ｂ）は同自動販売機の商品収納装置の各ユニットを簡略的に示した分解斜視図および全体斜視図である。
【図１１】同自動販売機の商品収納装置の各ユニットの着脱状態を簡略的に示した斜視図である。
【図１２】（ａ）〜（ｃ）は同自動販売機の商品収納ラックの全体斜視図、商品収納ラックの上部収納ユニットと遮断ユニットとの着脱部分の要部拡大正面断面図、商品収納ラックの遮断ユニットと下部収納ユニットとの着脱部分の要部拡大正面断面図、（ｄ）および（ｅ）は同商品収納ラックの遮断ユニットと下部収納ユニットとの着脱部分の要部拡大斜視図および要部拡大正面図である。
【図１３】同商品収納装置の全体斜視図である。
【図１４】同商品収納装置の商品払出ユニットを挿入しようとする状態を示した斜視図である。
【図１５】同商品収納装置の商品払出ユニットを上ガイドと下ガイドとの間に挿入しようとする状態を示した斜視図である。
【図１６】（ａ）は同商品払出ユニットの支持枠体と商品払出機構とを示す斜視図、（ｂ）は支持枠体の要部拡大斜視図である。
【図１７】（ａ）は商品払出機構を上ガイドに装着した状態を示す要部拡大側面図、（ｂ）は商品払出機構を下ガイドに装着した状態を示す要部拡大側面図である。
【図１８】同商品払出ユニットの支持枠体に商品払出機構を組付けた状態を示す斜視図である。
【図１９】同商品払出ユニットの支持枠体を示す図で、（ａ）は平面図、（ｂ）は正面図、（ｃ）は側面図、（ｄ）は要部拡大斜視図、（ｅ）は斜視図である。
【図２０】同商品払出ユニットの支持枠体の分解斜視図である。
【図２１】（ａ）および（ｂ）は同商品払出ユニットの上部の拡大斜視図および要部拡大正面図、（ｃ）および（ｄ）は同商品払出ユニットの下部の拡大斜視図および要部拡大正面図である。
【図２２】（ａ）〜（ｃ）は同商品収納装置の第１ガイド材の斜視図、側面図および要部拡大正面図である。
【図２３】（ａ）〜（ｃ）は同商品収納装置の第２ガイド材の斜視図、側面図および要部拡大正面図である。
【図２４】（ａ）および（ｂ）は同商品収納装置の遮断ユニットの斜視図および側面断面図である。
【図２５】同商品収納装置の空気の流れ状態を示す側面断面図である。
【図２６】同商品収納装置の下部収納ユニットの斜視図である。
【図２７】同商品収納装置の下部収納ユニットの側面断面図である。
【図２８】同商品収納装置の斜視図である。
【図２９】（ａ）および（ｂ）は同自動販売機の自動販売機本体から商品収納装置を手前側に引き出した状態を示す側面断面図および全体斜視図である（ただし、商品収納装置を１列分だけ配設した状態を示す）。
【図３０】従来の自動販売機の商品収納装置の要部斜視図である。
【符号の説明】
【００９６】
１      前面扉
２      自動販売機本体
１０    商品収納装置
１３    縦断熱壁
１４    断熱室
１５    仕切壁
１６    傾斜断熱壁
２１    シャッタ
２３    傾斜導入通路
２４    搬送通路
２５    商品払出機構
２６、２６Ａ〜２６Ｃ    商品収納ラック
２７    スライドレール装置
２８    取付固定枠
２９    外レール
３０    中間スライドレール
３１    内スライドレール
３２    規制機構
４１    上部収納ユニット
４２    遮断ユニット
４３    下部収納ユニット
４７    上部ラック側板
５０    シャッタ開閉機構
５１    遮断ユニット側板
５３    下部ラック側板
５５    傾斜導入ガイド
５６    案内ガイド
６０    商品払出ユニット
６１    開口部
６２    覆い板
６３    支持枠体
６４    上枠
６５    下枠
６６    側部枠
６７    上ガイド
６８    下ガイド
７２    外枠
７５    ソレノイド
８３    ハーネス部
８２    中間配線部
８８    作業用孔
８９    作業用兼通風孔
９６    連結部材
９５    遮熱用ガスケット
９７    上集合ハーネス部
９８    下集合ハーネス部
【図１】
2010146131.tif 000003
【図２】
2010146131.tif 000004
【図３】
2010146131.tif 000005
【図４】
2010146131.tif 000006
【図５】
2010146131.tif 000007
【図６】
2010146131.tif 000008
【図７】
2010146131.tif 000009
【図８】
2010146131.tif 000010
【図９】
2010146131.tif 000011
【図１０】
2010146131.tif 000012
【図１１】
2010146131.tif 000013
【図１２】
2010146131.tif 000014
【図１３】
2010146131.tif 000015
【図１４】
2010146131.tif 000016
【図１５】
2010146131.tif 000017
【図１６】
2010146131.tif 000018
【図１７】
2010146131.tif 000019
【図１８】
2010146131.tif 000020
【図１９】
2010146131.tif 000021
【図２０】
2010146131.tif 000022
【図２１】
2010146131.tif 000023
【図２２】
2010146131.tif 000024
【図２３】
2010146131.tif 000025
【図２４】
2010146131.tif 000026
【図２５】
2010146131.tif 000027
【図２６】
2010146131.tif 000028
【図２７】
2010146131.tif 000029
【図２８】
2010146131.tif 000030
【図２９】
2010146131.tif 000031
【図３０】
2010146131.tif 000032